(57)【要約】【課題】容器内への内容物の充填工程、保管時等において容器が垂直荷重及び側圧を受けることによる変形を防止した剛性樹脂製壜体を提供する。【解決手段】合成樹脂製壜体は、平面壁部と隅角部からなる多角形胴部を有し、胴部中央部付近に容器外周面からへこんだ環状凹陥リブを有する。環状凹陥リブは、平面壁部中央付近の領域に対応する第１の凹陥部と該第１の凹陥部よりも浅い、該第１の凹陥部の両端に傾斜面状または湾曲面状の移行部を介して連続する第２の凹陥部と、隅角部に対応して形成された、第２の凹陥部に連続する、第２の凹陥部よりも浅い第３の凹陥部を備える。【選択図】  図１
2005008153.tif 000002
【特許請求の範囲】
【請求項１】
平面壁部と隅角部からなる多角形胴部を有し、胴部中央部付近に容器外周面からへこんだ環状凹陥リブを有する合成樹脂製壜体であって、該環状凹陥リブは、平面壁部中央付近の領域に対応する第１の凹陥部と該第１の凹陥部よりも浅い、該第１の凹陥部の両端に傾斜面状または湾曲面状の移行部を介して連続する第２の凹陥部と、隅角部に対応して形成された、第２の凹陥部に連続する、第２の凹陥部よりも浅い第３の凹陥部を備えることを特徴とする合成樹脂製壜体。
【請求項２】
平面壁部と隅角部からなる多角形胴部を有し、胴部中央部付近に容器外周面からへこんだ環状凹陥リブを有する合成樹脂製壜体であって、環状凹陥リブで分割された上下の多角形胴部の隅角部に該隅角部の周方向中央部が最もへこんだ形状の隅角部凹陥リブを備えることを特徴とする合成樹脂製壜体。
【請求項３】
環状凹陥リブは、平面壁部中央付近の領域に対応する第１の凹陥部と該第１の凹陥部よりも浅い、該第１の凹陥部の両端に傾斜面状または湾曲面状の移行部を介して連続する第２の凹陥部と、隅角部に対応して形成された、第２の凹陥部に連続する、第２の凹陥部よりも浅い第３の凹陥部を備えることを特徴とする請求項２に記載の合成樹脂製壜体。
【請求項４】
平面壁部と隅角部からなる多角形胴部を有し、胴部中央部付近に容器外周面からへこんだ環状凹陥リブを有する合成樹脂製壜体であって、壜体肩部隅角部及び／又は壜体底部周壁隅角部に四角錐状凹陥リブを有することを特徴とする合成樹脂製壜体。
【請求項５】
環状凹陥リブは、平面壁部中央付近の領域に対応する第１の凹陥部と該第１の凹陥部よりも浅い、該第１の凹陥部の両端に傾斜面状または湾曲面状の移行部を介して連続する第２の凹陥部と、隅角部に対応して形成された、第２の凹陥部に連続する、第２の凹陥部よりも浅い第３の凹陥部を備えることを特徴とする請求項４に記載の合成樹脂製壜体。
【請求項６】
環状凹陥リブで分割された上下の多角形胴部の隅角部に該隅角部の周方向中央部が最もへこんだ形状の隅角部凹陥リブを備えることを特徴とする請求項５に記載の合成樹脂製壜体。
【発明の詳細な説明】
【０００１】
【発明の属する技術分野】
本発明は合成樹脂製角型壜体、特にその圧縮強度を向上させた壜体胴部の構造に関する。
【０００２】
【従来の技術】
従来から、角型のポリエチレンテレフタレート、ポリプロピレン等の合成樹脂製二軸延伸吹込成形壜体が用いられている。この容器に垂直荷重が加わると、隅角部付近に応力が集中し、壜体は座屈し、容器は変形する。
【０００３】
現在、環境問題等を配慮して、容器重量を減少する傾向があり、そのため必然的に容器の肉圧が薄くなり、容器の強度が弱くなっている。
【０００４】
このため、容器内への包装内容物の充填、容器搬送等のハンドリング時や、容器をダンボールに詰めしたものを保管のため段積みする過程、輸送過程、更に商品陳列の際の取り扱い時に容器に外力が加わることにより容器が変形し商品価値の低下を招くことがある。
【０００５】
特許文献１には、角筒形状胴部に周溝を形成したプラスチックボトルにおいて、前記周溝の深さをパネル壁部では均一深さとし、隅角部ではパネル壁部での深さの０〜４／５倍の深さに形成し、前記周溝の幅を胴部全周にわたって同一に形成することにより、応力集中を起こりにくくなり、変形に対する抵抗が強くなり、圧縮強度が向上することが記載されている。
【０００６】
【特許文献１】
実公平７−５１４６０号公報
【０００７】
【発明が解決しようとする課題】
しかし、この特許文献１に記載の容器の構成では容器の胴部に側圧が加わった時の剛性が十分とはいえずそのため変形がおこることがある。
【０００８】
本発明の目的は、容器内への内容物の充填工程、保管時等において容器が垂直荷重及び側圧を受けることによる変形を防止した剛性樹脂製壜体を提供することである。
【０００９】
【課題を解決するための手段】
請求項１に記載の発明は、上記の課題を解決するもので、平面壁部と隅角部からなる多角形胴部を有し、胴部中央部付近に容器外周面からへこんだ環状凹陥リブを有する合成樹脂製壜体であって、該環状凹陥リブは、平面壁部中央付近の領域に対応する第１の凹陥部と該第１の凹陥部よりも浅い、該第１の凹陥部の両端に傾斜面状または湾曲面状の移行部を介して連続する第２の凹陥部と、隅角部に対応して形成された第２の凹陥部に連続する、第２の凹陥部よりも浅い第３の凹陥部を備えることを特徴とする合成樹脂製壜体を要旨とする。
【００１０】
請求項１に記載の発明によれば、環状凹陥リブは、平面壁部中央付近の領域に対応する第１の凹陥部と該第１の凹陥部よりも浅い、該第１の凹陥部の両端に傾斜面状または湾曲面状の移行部を介して連続する第２の凹陥部と、隅角部に対応して形成された、第２の凹陥部に連続する、第２の凹陥部よりも浅い第３の凹陥部を備えるので、壜体に垂直荷重が加えられたとき、第１の凹陥部及び第２の凹陥部は弾性変形して垂直荷重の一部を吸収する。一方、前記の最も浅い第３の凹陥部は第１、第２の両凹陥部に比して弾性変形が起こりにくく、その結果環状凹陥リブ全体の変形は大きくならず、第３の凹陥部により垂直荷重に対する耐久力が主に付与される。また、この二つの作用により高い座屈強度が得られるのみならず、容器内方へ突出する第１の凹陥部は高い耐内圧性を容器に付与しホットパック充填後の減圧またはホットウォーマー内に商品を展示して加温販売するとき容器内の圧力の上昇に対して優れた耐内圧性が奏せられる。
【００１１】
請求項２に記載の発明は、上記の課題を解決するもので、平面壁部と隅角部からなる多角形胴部を有し、胴部中央部付近に容器外周面からへこんだ環状凹陥リブを有する合成樹脂製壜体であって、環状凹陥リブで分割された上下の多角形胴部の隅角部に該隅角部の周方向中央部が最もへこんだ形状の隅角部凹陥リブを備えることを特徴とする合成樹脂製壜体を要旨とする。
【００１２】
請求項２に記載の発明によれば、隅角部凹陥部によって隅角部に剛性と耐内圧性が付与され、従来の容器に比較して高い座屈強度を有する上にホットパック充填後の減圧またはホットウォーマー内に商品を展示して加温販売するとき容器内の圧力の上昇に対して優れた耐内圧性を示す合成樹脂製壜体を提供することができる。
【００１３】
請求項３に記載の発明は、上記の課題を解決するもので、環状凹陥リブは、平面壁部中央付近の領域に対応する第１の凹陥部と該第１の凹陥部よりも浅い、該第１の凹陥部の両端に傾斜面状または湾曲面状の移行部を介して連続する第２の凹陥部と、隅角部に対応して形成された、第２の凹陥部に連続する、第２の凹陥部よりも浅い第３の凹陥部を備えることを特徴とする請求項２に記載の合成樹脂製壜体を要旨とする。
【００１４】
請求項３に記載の発明によれば、請求項１に記載の発明の効果が奏せられる上に、更に隅角部凹陥部によって隅角部に剛性と耐内圧性が付与され、従来の容器に比較して高い座屈強度を有する上にホットパック充填後の減圧またはホットウォーマー内に商品を展示して加温販売するとき容器内の圧力の上昇に対して優れた耐内圧性を示す合成樹脂製壜体を提供することができる。
【００１５】
請求項４に記載の発明は、上記の課題を解決するもので、平面壁部と隅角部からなる多角形胴部を有し、胴部中央部付近に容器外周面からへこんだ環状凹陥リブを有する合成樹脂製壜体であって、壜体肩部隅角部及び／又は壜体底部周壁隅角部に四角錐状凹陥リブを有することを特徴とする合成樹脂製壜体を要旨とする。
【００１６】
請求項４に記載の発明によれば、四角錐状凹陥リブによって壜体肩部隅角部及び／又は壜体底部周壁隅角部に剛性と耐内圧性が付与され、従来の容器に比較して高い座屈強度を有する上にホットパック充填後の減圧またはホットウォーマー内に商品を展示して加温販売するとき容器内の圧力の上昇に対して優れた耐内圧性を示す合成樹脂製壜体を提供することができる。
【００１７】
請求項５に記載の発明は、上記の課題を解決するもので、環状凹陥リブは、平面壁部中央付近の領域に対応する第１の凹陥部と該第１の凹陥部よりも浅い、該第１の凹陥部の両端に傾斜面状または湾曲面状の移行部を介して連続する第２の凹陥部と、隅角部に対応して形成された、第２の凹陥部に連続する、第２の凹陥部よりも浅い第３の凹陥部を備えることを特徴とする請求項４に記載の合成樹脂製壜体を要旨とする。
【００１８】
請求項５に記載の発明によれば、請求項１に記載の発明の効果が奏せられる上に、四角錐状凹陥リブによって壜体肩部隅角部及び／又は壜体底部周壁隅角部に剛性と耐内圧性が付与され、従来の容器に比較して高い座屈強度を有する上にホットパック充填後の減圧またはホットウォーマー内に商品を展示して加温販売するとき容器内の圧力の上昇に対して優れた耐内圧性を示す合成樹脂製壜体を提供することができる。
【００１９】
請求項６に記載の発明は、上記の課題を解決するもので、環状凹陥リブで分割された上下の多角形胴部の隅角部に該隅角部の周方向中央部が最もへこんだ形状の隅角部凹陥リブを備えることを特徴とする請求項５に記載の合成樹脂製壜体を要旨とする。
【００２０】
請求項６に記載の発明によれば、請求項１及び請求項２に記載の発明の効果が奏せられる上に、四角錐状凹陥リブによって壜体肩部隅角部及び／又は壜体底部周壁隅角部に剛性と耐内圧性が付与され、従来の容器に比較して高い座屈強度を有する上にホットパック充填後の減圧またはホットウォーマー内に商品を展示して加温販売するとき容器内の圧力の上昇に対して優れた耐内圧性を示す合成樹脂製壜体を提供することができる。
【００２１】
【発明の実施の形態】
図１（Ａ）乃至（Ｃ）は、第１の発明の実施の形態の合成樹脂製壜体を示し、（Ａ）は側面図、（Ｂ）は図１（Ａ）図示のＤ−Ｄ線矢視断面図、（Ｃ）は上面図である。図２は図１（Ｃ）図示のＡ−Ｃの方向に見た図である。図３は図１に示す合成樹脂製壜体の隅角部のほうから見た側面図である。
【００２２】
第１の発明の合成樹脂製壜体は、ポリエチレンテレフタレート、ポリプロピレン等の合成樹脂製二軸延伸吹込成形体であって、平面壁部６ａ、６ｂと隅角部７ａ、７ｂからなる多角形胴部を有し、胴部中央部付近に容器外周面からへこんだ環状凹陥リブ１を有する合成樹脂製壜体である。この環状凹陥リブ１は、平面壁部中央付近の領域に対応する第１の凹陥部２と、この第１の凹陥部２よりも浅い、各第１の凹陥部２の両端に傾斜面状または湾曲面状の移行部３ａを介して連続する第２の凹陥部４と、隅角部７ａ、７ｂに対応して形成された第２の凹陥部４に傾斜面または湾曲面状の移行部３ｂを介して連続する、第２の凹陥部４よりも浅い第３の凹陥部５を備える。即ち、第１の凹陥部２の壜体外周面からの深さをＬ１、第２の凹陥部４の壜体外周面からの深さをＬ２、第３の凹陥部５の壜体外周面からの深さをＬ３とすると、Ｌ１＞Ｌ２＞Ｌ３となる。
【００２３】
更に上記合成樹脂製壜体には、上下の平面壁部６ａ、６ｂに横方向の突出リブ１０と縦方向の突出リブ１１からなるパネル部が設けられ、且つ上の平面壁部６ａには壜体の内方へ凹陥した横方向の凹陥リブ１２が設けられ、平面壁部６ａ、６ｂに剛性が付与されている。
【００２４】
第１の発明の合成樹脂製壜体は、環状凹陥リブ１は、平面壁部中央付近の領域に対応する第１の凹陥部２と第１の凹陥部２よりも浅い、第１の凹陥部２の両端に傾斜面状または湾曲面状の移行部３ａを介して連続する第２の凹陥部４と、隅角部７ａ、７ｂに対応して形成された、第２の凹陥部４に傾斜面状または湾曲面状の移行部３ｂを介して連続する、第２の凹陥部４よりも浅い第３の凹陥部５を備えるので、壜体に垂直荷重が加えられたとき、第１の凹陥部２及び第２の凹陥部４は弾性変形して垂直荷重の一部を吸収する。一方、前記の最も浅い第３の凹陥部５は第１の凹陥部２及び第２の両凹陥部４に比して弾性変形が起こりにくく、その結果環状凹陥リブ１全体の変形は大きくならず、第３の凹陥部５により垂直荷重に対する耐久力が主に付与される。また、この二つの作用により高い座屈強度が得られるのみならず、壜体内方へ突出する第１の凹陥部２は高い耐内圧性を容器に付与しホットパック充填後の減圧またはホットウォーマー内に商品を展示して加温販売するとき壜体内の圧力の上昇に対して優れた耐内圧性が奏せられる。
【００２５】
図４（Ａ）乃至（Ｃ）は、第２の発明の実施の形態の合成樹脂製壜体を示し、（Ａ）は側面図、（Ｂ）は図４（Ａ）図示のＤ−Ｄ線矢視断面図、（Ｃ）は上面図である。図５は図４（Ｃ）図示のＡ−Ｃの方向に見た図である。図６は図４に示す合成樹脂製壜体の隅角部のほうから見た側面図である。
【００２６】
第２の発明の合成樹脂製壜体は、平面壁部６ａ、６ｂと隅角部７ａ、７ｂからなる多角形胴部を有し、胴部中央部付近に容器外周面からへこんだ環状凹陥リブ１を有する合成樹脂製壜体において、環状凹陥リブ１で分割された上下の多角形胴部の隅角部７ａ、７ｂにこれらの隅角部７ａ、７ｂの周方向中央部が最もへこんだ形状の隅角部凹陥リブ１３を備えることを特徴とするものである。
【００２７】
第２の発明の合成樹脂製壜体は、隅角部凹陥リブ１３によって隅角部７ａ、７ｂに剛性と耐内圧性が付与され、従来の容器に比較して高い座屈強度を有する上にホットパック充填後の減圧またはホットウォーマー内に商品を展示して加温販売するとき容器内の圧力の上昇に対して優れた耐内圧性を示す。
【００２８】
第２の発明の実施の形態において、環状凹陥リブ１は、従来の壜体におけるように全周にわたって等しい深さで形成された環状凹陥リブであってもよい。しかし、環状凹陥リブ１は、平面壁部中央付近の領域に対応する深さＬ１の第１の凹陥部２と、この第１の凹陥部２よりも浅い、各第１の凹陥部２の両端に傾斜面状または湾曲面状の移行部３ａを介して連続する深さＬ２の第２の凹陥部４と、隅角部７ａ、７ｂに対応して形成された第２の凹陥部４に傾斜面または湾曲面状の移行部３ｂを介して連続する、第２の凹陥部４よりも浅い深さＬ３の第３の凹陥部５を備えるものが、隅角部凹陥リブ１３と環状凹陥リブ１の相乗作用により更に高い座屈強度が得られので望ましい。
【００２９】
図７（Ａ）乃至（Ｃ）は、第３の発明の実施の形態の合成樹脂製壜体を示し、（Ａ）は側面図、（Ｂ）は図７（Ａ）図示のＤ−Ｄ線矢視断面図、（Ｃ）は上面図である。図８は図７（Ｃ）図示のＡ−Ｃ線の方向に見た図である。図９は図７に示す合成樹脂製壜体の隅角部のほうから見た側面図である。
【００３０】
第３の発明の実施の形態の合成樹脂製壜体は、平面壁部６ａ、６ｂと隅角部７ａ、７ｂからなる多角形胴部を有し、胴部中央部付近に容器外周面からへこんだ環状凹陥リブ１を有する合成樹脂製壜体において、壜体肩部隅角部８及び壜体底部周壁隅角部９にそれぞれ四角錐状凹陥リブ１４、１５を有することを特徴とするものである。
【００３１】
尚、四角錐状凹陥部はを壜体肩部隅角部８または壜体底部周壁隅角部９の何れかに設けるだけの構成でもよい。
【００３２】
第３の発明の実施の形態の合成樹脂性壜体は、四角錐状凹陥リブによって壜体肩部隅角部及び／又は壜体底部隅角部に剛性と耐内圧性が付与され、従来の容器に比較して高い座屈強度を有する上にホットパック充填後の減圧またはホットウォーマー内に商品を展示して加温販売するとき容器内の圧力の上昇に対して優れた耐内圧性を示す。
【００３３】
第３の発明の実施の形態において、環状凹陥リブ１は、従来の壜体におけるように全周にわたって等しい深さで形成された環状凹陥リブであってもよい。しかし、環状凹陥リブ１は、平面壁部中央付近の領域に対応する深さＬ１の第１の凹陥部２と、この第１の凹陥部２よりも浅い、各第１の凹陥部２の両端に傾斜面状または湾曲面状の移行部３ａを介して連続する深さＬ２の第２の凹陥部４と、隅角部７ａ、７ｂに対応して形成された第２の凹陥部４に傾斜面または湾曲面状の移行部３ｂを介して連続する、第２の凹陥部４よりも浅い深さＬ３の第３の凹陥部５を備えるものが、隅角部凹陥リブ１３と環状凹陥リブ１の相乗作用により更に高い座屈強度が得られるので望ましい。
【００３４】
図１０（Ａ）乃至（Ｃ）は、第４の発明の実施の形態の合成樹脂製壜体を示し、（Ａ）は側面図、（Ｂ）は図１０（Ａ）図示のＤ−Ｄ線矢視断面図、（Ｃ）は上面図である。図１１は図１０（Ｃ）図示のＡ−Ｃ線の方向に見た図である。図１２は図１０に示す合成樹脂製壜体の隅角部のほうから見た側面図である。
【００３５】
第４の発明の実施の形態の合成樹脂製壜体は、平面壁部６ａ、６ｂと隅角部７ａ、７ｂからなる多角形胴部を有し、胴部中央部付近に容器外周面からへこんだ環状凹陥リブ１を有する合成樹脂製壜体において、壜体肩部隅角部８及び壜体底部周壁隅角部９にそれぞれ四角錐状凹陥リブ１４、１５を有し、且つ環状凹陥リブ１で分割された上下の多角形胴部の隅角部７ａ、７ｂにこれらの隅角部７ａ、７ｂの周方向中央部が最もへこんだ形状の隅角部凹陥リブ１３を備えることを特徴とするものである。
【００３６】
第４の発明の実施の形態において、環状凹陥リブ１は、従来の壜体におけるように全周にわたって等しい深さで形成された環状凹陥リブであってもよい。しかし、環状凹陥リブ１は、平面壁部中央付近の領域に対応する深さＬ１の第１の凹陥部２と、この第１の凹陥部２よりも浅い、各第１の凹陥部２の両端に傾斜面状または湾曲面状の移行部３ａを介して連続する深さＬ２の第２の凹陥部４と、隅角部７ａ、７ｂに対応して形成された第２の凹陥部４に傾斜面または湾曲面状の移行部３ｂを介して連続する、第２の凹陥部４よりも浅い深さＬ３の第３の凹陥部５を備えるものが、四角錐状凹陥リブ１４、１５及び隅角部凹陥リブ１３と環状凹陥リブ１の相乗作用により更に高い座屈強度が得られるので望ましい。
【００３７】
【実施例】
（実施例１）
図１（Ａ）乃至（Ｃ）に示すように、平面壁部６ａ、６ｂと隅角部７ａ、７ｂからなる多角形胴部を有し、胴部中央部付近に容器外周面からへこんだ環状凹陥リブ１を有する合成樹脂製壜体において、環状凹陥リブ１は、平面壁部中央付近の領域に対応する第１の凹陥部２と、第１の凹陥部２よりも浅い、第１の凹陥部２の両端に傾斜面状または湾曲面状の移行部３ａを介して連続する第２の凹陥部４と、隅角部に対応して形成された第２の凹陥部４に連続する、第２の凹陥部４よりも浅い第３の凹陥部５を備える合成樹脂製壜体を作製した。
【００３８】
この壜体に垂直荷重をかけて座屈強度を測定した。その結果垂直荷重が２５５Ｎのとき肩部において座屈が生じた。この座屈強度は下記の比較例で示す従来型の壜体について測定した座屈強度２００Ｎに比較して高く、前記のように環状凹陥リブ１を設けることにより強度がアップされることがわかった。
【００３９】
（実施例２）
図４（Ａ）に示すように、平面壁部６ａ、６ｂと隅角部７ａ、７ｂからなる多角形胴部を有し、胴部中央部付近に容器外周面からへこんだ環状凹陥リブを有する合成樹脂製壜体において、環状凹陥リブで分割された上下の多角形胴部の隅角部７ａ、７ｂにこれらの隅角部７ａ、７ｂの周方向中央部が最もへこんだ形状の隅角部凹陥リブ１３を備え、環状凹陥リブは従来の壜体におけるように全周にわたり等しい深さの環状凹陥リブである合成樹脂製壜体を作製した。
【００４０】
この壜体に垂直荷重を掛けて座屈強度を測定した。その結果垂直荷重が２２０Ｎのとき、環状凹陥リブの隅角部において座屈が生じた。この座屈強度は下記の比較例で示す従来型の壜体について測定した座屈強度２００Ｎに比較して高く、前記のように隅角部凹陥リブ１３を設けることにより強度がアップされることがわかった。
【００４１】
（実施例３）
図７（Ａ）に示すように、平面壁部６ａ、６ｂと隅角部７ａ、７ｂからなる多角形胴部を有し、胴部中央部付近に容器外周面からへこんだ環状凹陥リブを有する合成樹脂製壜体において、壜体肩部隅角部８及び壜体底部周壁隅角部９にそれぞれ四角錐状凹陥リブ１４、１５を有し、環状凹陥リブは従来の壜体におけるように全周にわたり等しい深さの環状凹陥リブである合成樹脂製壜体を作製した。
【００４２】
この壜体に垂直荷重を掛けて座屈強度を測定した。その結果垂直荷重が２３０Ｎのとき環状凹陥部の隅角部において座屈が生じた。この座屈強度は下記の比較例で示す従来型の壜体について測定した座屈強度２００Ｎに比較して高く、前記のように四角錐凹陥リブ１４、１５を設けることにより強度がアップされることがわかった。
【００４３】
（実施例４）
図１０（Ａ）乃至（Ｃ）に示すように、平面壁部６ａ、６ｂと隅角部７ａ、７ｂからなる多角形胴部を有し、胴部中央部付近に容器外周面からへこんだ環状凹陥リブを有する合成樹脂製壜体において、環状凹陥リブで分割された上下の多角形胴部の隅角部７ａ、７ｂにこれらの隅角部７ａ、７ｂの周方向中央部が最もへこんだ形状の隅角部凹陥リブ１３を備え、且つ壜体肩部隅角部８及び壜体底部周壁隅角部９にそれぞれ四角錐状凹陥リブ１４、１５を有し、環状凹陥リブ１は、平面壁部中央付近の領域に対応する第１の凹陥部２と、第１の凹陥部２よりも浅い、第１の凹陥部２の両端に傾斜面状または湾曲面状の移行部３ａを介して連続する第２の凹陥部４と、隅角部に対応して形成された第２の凹陥部４に連続する、第２の凹陥部４よりも浅い第３の凹陥部５を備える合成樹脂製壜体を作製した。
【００４４】
この壜体に垂直荷重を掛けて座屈強度を測定した。その結果垂直荷重が３２０Ｎのとき環状凹陥部の隅角部において座屈が生じた。この座屈強度は下記の比較例で示す従来型の壜体について測定した座屈強度２００Ｎに比較して高く、前記のように隅角部凹陥リブ、四角錐凹陥リブ１４、１５及び環状凹陥リブ１を設けることにより強度がアップされることがわかった。
【００４５】
（比較例）
実施例１と同様な、図１（Ａ）に示すように平面壁部６ａ、６ｂと隅角部７ａ、７ｂからなる多角形胴部を有し、胴部中央部付近に容器外周面からへこんだ環状凹陥リブ１を有し、但し環状凹陥リブ１は従来の壜体におけるように全周にわたり等しい深さの環状凹陥リブである従来型の合成樹脂製壜体を作製した。
【００４６】
この壜体に垂直荷重を掛けて座屈強度を測定した。その結果垂直荷重が２００Ｎのとき環状凹陥部の隅角部において座屈が生じた。
【００４７】
以上延べた実施例１乃至実施例４及び比較例から明らかなように、
（１）平面壁部と隅角部からなる多角形胴部を有し、胴部中央部付近に容器外周面からへこんだ環状凹陥リブを有する合成樹脂製壜体において、該環状凹陥リブを、平面壁部中央付近の領域に対応する第１の凹陥部と該第１の凹陥部よりも浅い、該第１の凹陥部の両端に傾斜面状または湾曲面状の移行部を介して連続する第２の凹陥部と、隅角部に対応して形成された、第２の凹陥部に連続する、第２の凹陥部よりも浅い第３の凹陥部を備える構成とすることにより、または、
（２）平面壁部と隅角部からなる多角形胴部を有し、胴部中央部付近に容器外周面からへこんだ環状凹陥リブを有する合成樹脂製壜体において、環状凹陥リブで分割された上下の多角形胴部の隅角部に該隅角部の周方向中央部が最もへこんだ形状の隅角部凹陥リブを備えることにより、または、
（３）平面壁部と隅角部からなる多角形胴部を有し、胴部中央部付近に容器外周面からへこんだ環状凹陥リブを有する合成樹脂製壜体において、壜体肩部隅角部及び／又は壜体底部周壁隅角部に四角錐状凹陥リブ備えることにより、または、
（４）平面壁部と隅角部からなる多角形胴部を有し、胴部中央部付近に容器外周面からへこんだ環状凹陥リブを有する合成樹脂製壜体の構成を、上記（１）（２）（３）構成を全て含む構成とすることにより、
従来型の合成樹脂製壜体に比較して座屈強度の高い合成樹脂製壜体を得ることができる。
【００４８】
【発明の効果】
以上詳細に説明したように、請求項１乃至請求項６に記載の発明によれば、従来の容器に比較して高い座屈強度を有するのみならずホットパック充填後の減圧またはホットウォーマー内に商品を展示して加温販売するとき容器内の圧力の上昇に対して優れた耐内圧性を示す合成樹脂製壜体を提供することができる。
【図面の簡単な説明】
【図１】第１の発明の実施の形態の合成樹脂製壜体を示し、（Ａ）は側面図、（Ｂ）は図１（Ａ）図示のＤ−Ｄ線矢視断面図、（Ｃ）は上面図である。
【図２】図１（Ｃ）図示のＡ−Ｃの方向に見た図である。
【図３】図１に示す合成樹脂製壜体の隅角部のほうから見た側面図である。
【図４】第２の発明の実施の形態の合成樹脂製壜体を示し、（Ａ）は側面図、（Ｂ）は図４（Ａ）図示のＤ−Ｄ線矢視断面図、（Ｃ）は上面図である。
【図５】図４（Ｃ）図示のＡ−Ｃの方向に見た図である。
【図６】図４に示す合成樹脂製壜体の隅角部のほうから見た側面図である。
【図７】第３の発明の実施の形態の合成樹脂製壜体を示し、（Ａ）は側面図、（Ｂ）は図７（Ａ）図示のＤ−Ｄ線矢視断面図、（Ｃ）は上面図である。
【図８】図７（Ｃ）図示のＡ−Ｃの方向に見た図である。
【図９】図７に示す合成樹脂製壜体の隅角部のほうから見た側面図である。
【図１０】第４の発明の実施の形態の合成樹脂製壜体を示し、（Ａ）は側面図、（Ｂ）は図１０（Ａ）図示のＤ−Ｄ線矢視断面図、（Ｃ）は上面図である。
【図１１】図１０（Ｃ）図示のＡ−Ｃの方向に見た図である。
【図１２】図１０に示す合成樹脂製壜体の隅角部のほうから見た側面図である。
【符号の説明】
１          環状凹陥リブ
２          第１の凹陥部
３ａ        移行部
３ｂ        移行部
４          第２の凹陥部
５          第３の凹陥部
６ａ、６ｂ  平面壁部
７ａ、７ｂ  隅角部
８          壜体肩部隅角部
９          壜体底部周壁隅角部
１０        横方向の突出リブ
１１        縦方向の突出リブ
１２        横方向の凹陥リブ
１３        隅角部凹陥リブ
１４        四角錐状凹陥リブ
１５        四角錐状凹陥リブ
Ｌ１        第１の凹陥部の深さ
Ｌ２        第２の凹陥部の深さ
Ｌ３        第３の凹陥部の深さ
【図１】
2005008153.tif 000003
【図２】
2005008153.tif 000004
【図３】
2005008153.tif 000005
【図４】
2005008153.tif 000006
【図５】
2005008153.tif 000007
【図６】
2005008153.tif 000008
【図７】
2005008153.tif 000009
【図８】
2005008153.tif 000010
【図９】
2005008153.tif 000011
【図１０】
2005008153.tif 000012
【図１１】
2005008153.tif 000013
【図１２】
2005008153.tif 000014